(57)【要約】【課題】  筐体の側面に操作キィを配置すると共に、操作キィにより操作されるタクトスイッチ等の被操作部の位置合わせを容易にし、操作キィによる被操作部の押圧操作を確実なものにする。【解決手段】  記録及び／又は再生装置１は、光磁気ディスク２０１の記録及び／又は再生を行う装置本体部５を内臓した筐体４のシャーシ３３の枠体３３ａの外側面に、操作キィ３４ａ〜３４ｄと、該操作キィ３４ａ〜３４ｄにより操作される被操作部３５ａ〜３５ｄと、前記操作キィ３４ａ〜３４ｄの先端部をキィ穴３９ａ〜３９ｄから突出させる装飾カバー３６と、を備えている。前記装飾カバー６は、複数の結合部４１〜４７によって前記筐体４の外側面に一体的に結合されている。【選択図】  図２
2006127618.tif 000002
【特許請求の範囲】
【請求項１】
記録媒体の記録及び／又は再生を行う装置本体部を内臓した筐体の側面の外側に、操作キィと、該操作キィにより操作される被操作部と、前記操作キィの先端部を突出させるキィ穴を有する装飾カバーと、を設け、該装飾カバーを複数の結合部によって前記筐体の側面に一体的に結合したことを特徴とする記録及び／又は再生装置。
【請求項２】
前記複数の結合部は、前記筐体の側面の周縁部に設けられた係合部と、前記装飾カバーの周縁部に設けられていて前記筐体の側面に前記装飾カバーを重ね合わせた状態で前記係合部に係合する被係合部と、で構成されていることを特徴とする請求項１に記載の記録及び／又は再生装置。
【請求項３】
前記係合部は、前記筐体の側面の周縁部に鍔状の凸部を設けることにより形成され、前記被係合部は、前記装飾カバーの周縁部に前記凸部が嵌合する凹部を設けることにより構成されていることを特徴とする請求項２に記載の記録及び／又は再生装置。
【請求項４】
前記装飾カバーは、位置決め部によって前記筐体の前後、左右方向に移動不可能に位置決めされていることを特徴とする請求項１に記載の記録及び／又は再生装置。
【請求項５】
前記位置決め部は、前記装飾カバーの前後の端部に設けられた下パネル勘合部と、下パネルの前後の端部に設けられていて前記下パネル勘合部に勘合される被勘合部と、で構成されていることを特徴とする請求項４に記載の記録及び／又は再生装置。
【請求項６】
前記筐体は、上面側が開放された扁平な箱型状のケース本体と、該ケース本体に回動可能に取り付けられていてケース本体の上面側を開閉する蓋体と、で構成されていて、前記カートリッジホルダは、カートリッジホルダ支持体を介して前記筐体内に支持され、前記カートリッジホルダ支持体は、前記筐体の側面に軸によって回動可能に取付けられていることを特徴とする請求項１に記載の記録及び／又は再生装置。
【請求項７】
前記カートリッジホルダ支持体は、上端部が前記蓋体の内底面まで延びていて、該上端部が、前記蓋体に取付けられている操作キィの端部に接触することを特徴とする請求項６に記載の記録及び／又は再生装置。
【発明の詳細な説明】
【技術分野】
【０００１】
本発明は、光ディスクや光磁気ディスク等の記録媒体への記録及び／又は再生を行う記録及び／又は再生装置に関し、特に装置筐体の側面に操作キィを配置したものである。
【背景技術】
【０００２】
装置筐体の側面に操作キィを配置した記録及び／又は再生装置として、例えば図１１に示すものが知られている。前記記録及び／又は再生装置は、テープレコーダーとして構成されていて筐体１０１の側面１０２に各種の操作キィ１０３…１０３が配置されている。前記操作キィ１０３…１０３は、筐体１０１の側面１０２に設けた穴１０４から先端部が外部に突出している。そして、前記操作キィ１０３…１０３を操作することにより、前記筐体１０１の内部において、被操作部のオン・オフ操作等を行うようになっている。（例えば特許文献１）
【特許文献１】特開平１−２２７２４７号公報（明細書第1頁右欄第８〜２０行、図１、図４等）
【発明の開示】
【発明が解決しようとする課題】
【０００３】
前記特許文献１の記録及び／又は再生装置は、筐体１０１の側面１０２に設けた穴１０４から操作キィ１０３の先端部を前記側面１０２の外部に突出させ、前記筐体１０１の内部において、被操作部のオン・オフ操作等を行うようになっていたために、次に述べるような問題点があった。
（１）操作キィ１０３により操作される被操作部を筐体１０１の内部に配置しているために、筐体１０１内に被操作部を配置するスペースが必要になる。また、被操作部の位置と操作キィ１０３の位置が離れるために、両者間にズレが発生し易い。
（２）穴１０４を設けることにより筐体１０１の側面１０２の機械的強度が弱められてしまう。また、前記穴１０４から筐体１０１の内部に塵埃等が侵入する虞がある。
【０００４】
本発明の目的は、操作キィと該操作キィにより操作される被操作部の間に位置スレが発生し難い記録及び／又は再生装置を提供することにある。
【０００５】
本発明の他の目的は、操作キィを突出させるための穴を筐体の側面に設ける必要のない記録及び／又は再生装置を提供することにある。
【課題を解決するための手段】
【０００６】
請求項１の発明は、記録媒体の記録及び／又は再生を行う装置本体部を内臓した筐体の側面の外側に、操作キィと、該操作キィにより操作される被操作部と、前記操作キィの先端部を突出させるキィ穴を有する装飾カバーと、を備えた記録及び／又は再生装置において、前記装飾カバーを前記筐体の側面に複数の結合部によって一体的に結合した。
【０００７】
請求項２の発明は、請求項１に記載の記録及び／又は再生装置において、前記結合部を、前記筐体の側面の周縁部に設けられた係合部と、前記装飾カバーの周縁部に設けられていて前記筐体の側面に前記装飾カバーを重ね合わせた状態で前記係合部に係合する被係合部と、で構成した。
【０００８】
請求項３の発明は、請求項２に記載の記録及び／又は再生装置において、前記係合部を、前記筐体の側面の周縁部に鍔状の凸部を設けることにより形成し、前記被係合部を、前記装飾カバーの周縁部に前記凸部が嵌合する凹部を設けることにより形成した。
【０００９】
請求項４の発明は、請求項１に記載の記録及び／又は再生装置において、前記装飾カバーを、位置決め部によって前記筐体の前後、左右方向に移動不可能に位置決めした。
【００１０】
請求項５の発明は、請求項４に記載の記録及び／又は再生装置において、前記位置決め部を、前記装飾カバーの前後の端部に設けた下パネル勘合部と、下パネルの前後の端部に設けられていて前記下パネル勘合部に勘合される被勘合部と、で構成した。
【００１１】
請求項６の発明は、請求項１に記載の記録及び／又は再生装置において、前記筐体を、上面側が開放された扁平な箱型状のケース本体と、該ケース本体に回動可能に取り付けられていてケース本体の上面側を開閉する蓋体と、で構成すると共に、前記カートリッジホルダを、カートリッジホルダ支持体を介して前記筐体内に支持し、前記カートリッジホルダ支持体を、前記筐体の側面に軸によって回動可能に取付けた。
【００１２】
請求項７の発明は、請求項６に記載の記録及び／又は再生装置において、前記カートリッジホルダ支持体の上端部を前記蓋体の内底面まで延ばし、該上端部を前記蓋体に取付けられている操作キィの端部に接触させた。
【発明の効果】
【００１３】
請求項１の記録及び／又は再生装置は、筐体の側面の外側に、操作キィと、該操作キィにより操作される被操作部と、前記操作キィの先端部を突出させるキィ穴を有する装飾カバーと、を設け、該装飾カバーを前記筐体の側面に複数の結合部によって一体的に結合したので、従来の筐体内に前記操作キィにより操作される被操作部を設ける場合に比べて前記被操作部の位置と操作キィの位置を接近させて、両者間の位置ズレの発生を抑制することができる。また、筐体の側面の機械的強度がキィ穴によって弱められたり、キィ穴から筐体内に塵埃等が侵入するのを防止することができる。また、該装飾カバーを前記筐体の側面に結合部によって一体的に結合したので、前記操作キィの操作時等に前記装飾カバーが押されて凹んだりするのを防止することができる。また、装飾カバーを合成樹脂等により所望の形状、大きさ等に形成することができる。
【００１４】
請求項２の記録及び／又は再生装置は、前記筐体の側面に前記装飾カバーを重ね合わせて、前記筐体の側面の周縁部に設けた係合部と、前記装飾カバーの周縁部に設けた係合部と、を互いに係合させて、前記筐体の側面に前記装飾カバーを一体的に結合することができる。
【００１５】
請求項３の記録及び／又は再生装置は、前記係合部としての鍔状の凸部を、前記被係合部としての凹部に嵌合することにより筐体の側面と装飾カバーを簡単かつ容易に結合することができる。
【００１６】
請求項４の記録及び／又は再生装置は、位置決め部によって装飾カバーが筐体の前後、左右方向に移動して位置ズレを起こすのを防ぐことができる。下パネル勘合部に下パネルの前後の端部に設けた被勘合部を勘合するという
請求項５の記録及び／又は再生装置は、前記装飾カバーの前後の端部に設けた簡単な作業で装飾カバーの位置ズレを防止することができる。
【００１７】
請求項６の記録及び／又は再生装置は、カートリッジホルダ支持体およびカートリッジホルダを前記筐体の側面の内側に沿わせて円滑に回動させることができる。また、前記カートリッジホルダ支持体で筐体の側面の内側を抑えて、前記操作キィの操作時に前記装飾カバーおよび筐体の側面が凹むのを阻止する。
【００１８】
請求項７の記録及び／又は再生装置は、蓋体に設けた操作キィによって前記カートリッジホルダ支持体の変形を阻止する。
【発明を実施するための最良の形態】
【００１９】
以下、図面を参照して説明する。本発明の記録及び／又は再生装置は、光磁気ディスクの記録及び／又は再生を行う光磁気ディスク記録及び／又は再生装置（以下、単に記録及び／又は再生装置と称する）１として構成されている。図1は蓋体を閉じた状態の斜視図、図２は蓋体を開いた状態の斜視図、図３は蓋体を閉じた状態の平面図、図４は図３のＡ−Ａ断面図、図５は図３のＢ−Ｂ断面図、図６は図３のＣ−Ｃ断面図、図７は要部の分解斜視図、図８は要部の側面図である。
【００２０】
図１、図２に示すように、記録及び／又は再生装置１は、上面側が開放された扁平な箱型状のケース本体２と、該ケース本体２に回動可能に取り付けられていてケース本体２の上面側を開閉する蓋体３と、で筐体４を構成し、該筐体４内に装置本体部５とカートリッジホルダ６を設けることにより構成されている。
【００２１】
前記装置本体部５は、前記ケース本体２の略中央部に取付けられていて光磁気ディスクを回転駆動するディスクテーブル１１、該ディスクテーブル１１にチャッキングされた光磁気ディスクの信号記録面にレーザー光を照射して信号の記録及び／又は再生を行う光学ピックアップ１２、該光学ピックアップ１２を前記ディスクテーブル１１にチャッキングされている光磁気ディスクの半径方向に移動させるリードスクリュー１３等を備えている。
【００２２】
図２に示すように前記蓋体３を開いた状態で前記カートリッジホルダ６に光磁気ディスクカートリッジ２０１を挿入すると、該光磁気ディスクカートリッジ２０１のシャッター２０２が開放される。光磁気ディスクカートリッジ２０１をカートリッジホルダ６内に挿入した後に蓋体３を閉じると、蓋体３は、ロック部材２１により閉じた状態にロックされる。そして、前記光磁気ディスクカートリッジ２０１内の光磁気ディスク２０３は、前記ディスクテーブル１１上にチャッキングされる。また、図１に示す蓋体３が閉じられた状態において、前記ケース本体２の側面に設けたロック解除レバー２２を矢印ａ方向にスライドさせると、前記ロック部材２１による蓋体３のロックが解除されて、蓋体３は、後に説明するトーションスプリングのばね力で自動的に開いた状態になる。前記蓋体３は、その外面（上面）に臨んで液晶等の表示部２３と操作キィ２４…２４を備えている。
【００２３】
前記ケース本体２は、その内部に前記ディスクテーブル１１が臨む開口部３１を中央部に設けたシャーシ３２および該シャーシ３２の周りを囲む四角形のシャーシ枠体（以下、セットシャーシと称する）３３を備えている。
【００２４】
前記セットシャーシ３３は、その一辺３３ａの外側面に第１〜第４の操作キィ３４ａ〜３４ｄと、これら第１〜第４の操作キィ３４ａ〜３４ｄによって操作される第１〜第４の被操作部３５ａ〜３５ｄと、前記第１〜第４の操作キィ３４ａ〜３４ｄおよび前記第１〜第４の被操作部３５ａ〜３５ｄを覆う装飾カバー３６と、を備えている。
【００２５】
前記第１〜第４の操作キィ３４ａ〜３４ｄは、所謂シートスイッチとして連結部を介して一体的に形成されている。前記第１〜第３の操作キィ３４ａ〜３４ｃは、同一の形状に形成されている。また、前記第４の操作キィ３４ｄは、所謂十字キィとして、前記第１〜第３の操作キィ３４ａ〜３４ｃよりも大径で且つ背が高く形成されている。前記第１〜第４の操作キィ３４ａ〜３４ｄは、前記装飾カバー３６に設けた第１〜第４のキィ穴３９ａ〜３９ｄから先端部を、前記装飾カバー３６の外面に臨ませた状態で装飾カバー３６の内側に取り付けられている。
【００２６】
前記第１〜第４の被操作部３５ａ〜３５ｄは、前記第１〜第４の操作キィ３４ａ〜３４ｄの対向位置に設けられていて、これら第１〜第４の操作キィ３４ａ〜３４ｄにより押圧操作される。
【００２７】
前記第１〜第４の被操作部３５ａ〜３５ｄは、スイッチ基板にタクトスイッチを設けることにより形成されている。図４に示すように、前記スイッチ基板３７は、ビス３８等により装飾カバー３６の内面側に取り付けられている。
【００２８】
図１、図２に示すように、前記装飾カバー３６は、前記第１〜第４の操作キィ３４ａ〜３４ｄを外部に臨ませる第１〜第４のキィ穴３９ａ〜３９ｄを備えている。前記第４のキィ穴３９ｄは、前記装飾カバー３６の中央部に設けられた略楕円形状の凸部３９ｅの先端面に形成されている。前記第１〜第３の操作キィ３４ａ〜３４ｃは、前記第４のキィ穴３９ｄから筐体４の後面側（開閉端側と反対側）に向けて一列に形成されている。
【００２９】
前記装飾カバー３６は、前記略楕円形状の凸部３９ｅよりも筐体４の前面側（開閉端側）に、前記ケース本体２内に設けたバッテリー収納部２ａ（図６参照）を開閉するバッテリー収納部開閉蓋３６ａを備えている。前記バッテリー収納部開閉蓋３６ａは、図１０に示すように、装飾カバー３６に回動可能に組付けられた回動アーム４０に取付けられている。
【００３０】
装飾カバー３６は、前記セットシャーシ３３の一辺３３ａの外側面に重ね合わせた状態で、図９に示す第１〜第７の結合部４１〜４７によって前記セットシャーシ３３の一辺３３ａの外側面に結合されていると共に、前記装飾カバー３６は、セット前方部とセット後方部に設けた第１，第２の位置決め部８１，８２によって筐体２に対して前後、左右方向に位置ズレを起こさないように位置決めされている。
【００３１】
図４に示すように、第１の結合部４１は、前記セットシャーシ３３の一辺３３ａの周縁部に設けた係合部４１ａと、前記装飾カバー３６の周縁部に設けた被係合部４１ｂと、で構成されている。
【００３２】
前記係合部４１ａは、前記セットシャーシ３３の一辺３３ａの上端側の周縁部を略Ｌ字状に折り曲げて鍔状の凸部を設けることにより形成され、前記被係合部４１ｂは、前記装飾カバー３６の内周縁部に前記鍔状の凸部が嵌合する凹部を設けることにより構成されている。そして、前記セットシャーシ３３の一辺３３ａの外側面に前記装飾カバー３６を重ね合わせた状態で前記被係合部４１ｂ内に前記係合部４１ａを嵌合させることにより前記第１の結合部４１が構成されている。
【００３３】
また、第２の結合部４２は、前記装飾カバー３６の下端側の外周縁部を下方に向けて略直角に折り曲げることにより形成された凸状の係合部４２ａと、前記セットシャーシ３３の一辺３３ａの下縁部と下パネル４８の周縁部４８ａとの間に設けられた被係合部４２ｂと、からなっていて、前記凸状の係合部４２ａを前記被係合部４２ｂ内に嵌合することにより構成されている。前記第３の結合部４３および第４の結合部４４は、前記第１の結合部４１および第２の結合部４２と略同様に形成されている。前記第１の結合部４１〜第４の結合部４４は、前記装飾カバー３６の略楕円形状の凸部３９ｅよりも筐体４の後面側（開閉端側と反対側）に形成されている。
【００３４】
図５に示すように、第５の結合部４５は、前記装飾カバー３６の上端側の外周縁部を上方に向けて略直角に折り曲げることにより形成された凸状の係合部４５ａを、前記蓋体３を構成する上パネル４９の周縁部の被係合部４５ｂの内面に係合させることにより構成されている。
【００３５】
また、図６に示すように、第６の結合部４６は、前記装飾カバー３６の上端側の外周縁部を下方に向けて略直角に折り曲げることにより形成された凸状の係合部４６ａを、前記セットシャーシ３３の一辺３３ａの上縁部に形成された鍔状の被係合部４６ｂの内面に係合させることにより構成されている。また、第７の結合部４７は、前記装飾カバー３６の下端側の外周縁部を下方に向けて略直角に折り曲げることにより形成された凸状の係合部４７ａを、前記下パネル４８の周縁部の被係合部４７ｂの内面に係合させることにより構成されている。前記第６の結合部４６、第７の結合部４７は、前記装飾カバー３６の略楕円形状の凸部３９ｅよりも筐体４の前面側（開閉端側）に形成されている。
【００３６】
また、図７に示すように、前記第１の位置決め部８１は、前記装飾カバー３６の前端部に設けた下パネル勘合部８３と、下パネル４８の前端部に設けられていて前記下パネル勘合部８３に勘合される被勘合部８４と、で構成されている。
【００３７】
前記下パネル勘合部８３は、装飾カバー３６の側部に薄肉部８５と、前記装飾カバー３６の周面から突出する凸部８６を設けることにより形成されている。一方、前記被勘合部８４は、前記下パネル４８の側部４８ａを内側に向かって突出させることにより形成されている。なお、図示は省略したが前記第２の位置決め部８２は、前記第１の位置決め部８１と同様の構成で後端側に形成されている。
【００３８】
そして、前記下パネル４８の前後の側部４８a間に上方から前記装飾カバー３６を挿入すると、図８に示すように、前記下パネル４８の両側部の被勘合部８４が前記下パネル勘合部８３に勘合され、前記下パネル４８の被勘合部８４のs外面側が前記装飾カバー３６の薄肉部８５で押さえられ、前記下パネル４８の被勘合部８４の内面側が前記装飾カバー３６に設けた凸部８６で押さえられて、前記下パネル４８に対する前記装飾カバー３６の前後、左右方向への位置ずれが防止されるようになっている。
【００３９】
前記装飾カバー３６は、その内面側に前記第１〜第４の操作キィ３４ａ〜３４ｄおよび前記第１〜第４の被操作部３５ａ〜３５ｄを組み付けた後に、第１〜第７の結合部４１〜４７およびネジ５０によって前記セットシャーシ３３の一辺３３ａの外側面に一体的に取付けられる。
【００４０】
図１０に示すように、前記セットシャーシ３３の一辺３３ａの内側には前記カートリッジホルダ６を支持するカートリッジホルダ支持体５１が配置され、該カートリッジホルダ支持体５１の内側にカートリッジホルダ６が配置されている。前記カートリッジホルダ６は、第１の軸５２によって前記ケース本体２内に設けた軸受部５３に回動可能に取り付けられている。一方、前記カートリッジホルダ支持体５１は、第２の軸５４によって前記セットシャーシ３３の一辺３３ａに設けた軸受部５４ａに回動可能に取り付けられている。
【００４１】
前記カートリッジホルダ支持体５１は、前記第２の軸５４を中心にする円弧状の長孔５５を備えていて、該長孔５５に前記セットシャーシ３３の一辺３３ａに設けたピン５６を挿入することにより、前記円弧状の長孔５５の範囲内で回動可能になっている。
【００４２】
前記カートリッジホルダ支持体５１は、トーションスプリング５７によって前記第２の軸５４を中心として矢印ｂ方向（図１０の時計方向）の回動力を付与されていて前記蓋体３の内底面に押し付けられている。そして、前記蓋体３の回動に追従して回動するようになっている。
【００４３】
前記カートリッジホルダ６のカートリッジ挿入口側の側面には、前記カートリッジホルダ支持体５１への係合突起５８が切り起こし形成されていると共に、前記カートリッジホルダ支持体５１の側面には、前記係合突起５８が係合する係合孔５９が設けられている。なお、図示は省略したが、前記セットシャーシ３３の一辺３３ａと対向するセットシャーシ３３の他辺にも前記カートリッジホルダ支持体５１と略同様のカートリッジホルダ支持体が設けられていて、これら一対のカートリッジホルダ支持体によって前記カートリッジホルダ６は、挟まれた状態で支持されている。
【００４４】
前記セットシャーシ３３の一辺３３ａの上端部の中央部には、傾斜状の突出部６１が切り起こし形成されている。前記傾斜状の突出部６１は、図５に示すように、前記蓋体３の上パネル４９の内底面まで延びていて該内底面に沿って接触している。前記蓋体３の内底面にはシート状の操作キィ７１が取付けられている。前記操作キィ７１の一端部７１ａは、前記セットシャーシ３３の突出部６１に接触する位置まで延びている。
【００４５】
次に、上記構成の記録及び／又は再生装置１の作用について説明する。、図１に示す蓋体３が閉じられた状態において、前記ケース本体２の側面に設けたロック解除レバー２２を矢印ａ方向にスライドさせると、前記ロック部材２１による蓋体３のロックが解除されて、蓋体３は、前記トーションスプリング５７のばね力で自動的に開いた状態になる。そして、前記カートリッジホルダ６は、前記カートリッジホルダ支持体５１に対して前記係合突起５８が前記係合孔５９の下端縁に接触するまで回動して前記カートリッジホルダ６のカートリッジ挿入口が前記蓋体３の下面側から突出する。
【００４６】
前記カートリッジ挿入口からカートリッジホルダ６内に光磁気ディスクカートリッジ２０１を挿入すると、該光磁気ディスクカートリッジ２０１のシャッター２０２が開放される。そして、前記蓋体３を閉じると、前記光磁気ディスクカートリッジ２０１内に収納されている光磁気ディスク２０３が前記ディスクテーブル１１上にチャッキングされると共に、前記蓋体３は、ロック部材２１により閉じた状態にロックされて、前記光磁気ディスクカートリッジ２０１への記録及び／又は再生が行われる。
【００４７】
前記第１〜第４の操作キィ３４ａ〜３４ｄを押圧操作する際に、前記装飾カバー３６の表面が押圧された場合でも、該装飾カバー３６が、押圧されて変形するのを前記第１〜第７の結合部４１〜４７によって結合されたセットシャーシ３３の一辺３３ａおよびその内側に位置するカートリッジホルダ支持体５１よって阻止する。また、前記蓋体３の装飾カバー３６側の端部（例えば図３のＤ部分）を誤って強く加圧した場合等に前記装飾カバー３６の中央部が膨くらむように突出して異音等が発生するのを前記第５の結合部４５等によって阻止する。また、前記カートリッジホルダ支持体５１の変形は、前記蓋体３設けたシート状の操作キィ７１によって阻止される。また、蓋体３を開閉する際には、カートリッジホルダ支持体５１が前記セットシャーシ３３の一辺３３ａに沿って回動し、蓋体３の開閉動作が円滑に行われる。
【図面の簡単な説明】
【００４８】
【図１】蓋体を閉じた状態の斜視図。
【図２】蓋体を開いた状態の斜視図。
【図３】蓋体を閉じた状態の平面図。
【図４】図３のＡ−Ａ断面図。
【図５】図３のＢ−Ｂ断面図。
【図６】図３のＣ−Ｃ断面図。
【図７】第１の位置決め部の分解斜視図。
【図８】装飾カバーを下パネルに勘合した状態の断面図。
【図９】要部の側面図。
【図１０】要部の分解斜視図。
【図１１】従来例の斜視図。
【符号の説明】
【００４９】
１…記録及び／又は再生装置、２…ケース本体、３…蓋体、４…筐体、５…装置本体部、６…カートリッジホルダ、３３…セットシャーシ、３３ａ…セットシャーシの一辺、３４ａ〜３４ｄ…第１〜第４の操作キィ、３５ａ〜３５ｄ…第１〜第４の被操作部、３６…装飾カバー、３９ａ〜３９ｄ…第１〜第４のキィ穴、４１〜４７…第１〜第７の結合部、４１ａ〜４７ａ…係合部、４１ａ〜４７ｂ…被係合部、４８…下パネル、５１…カートリッジホルダ支持体、５４…第２の軸、６１…カートリッジホルダ支持体の上端部、７１…蓋体に設けられた操作キィ、８１，８２…第１，第２の位置決め部、８３…下パネル勘合部、８４…被勘合部、２０１…光磁気ディスクカートリッジ。
【図１】
2006127618.tif 000003
【図２】
2006127618.tif 000004
【図３】
2006127618.tif 000005
【図４】
2006127618.tif 000006
【図５】
2006127618.tif 000007
【図６】
2006127618.tif 000008
【図７】
2006127618.tif 000009
【図８】
2006127618.tif 000010
【図９】
2006127618.tif 000011
【図１０】
2006127618.tif 000012
【図１１】
2006127618.tif 000013